(57)【特許請求の範囲】
【請求項１】
複数のシートが、縁部どうしで接合されている汚れ防止用シートにおいて、
シートどうしの接合部では、一方のシートの縁部が、その裏面が上向きとなるように折り返されて前記一方のシートの表面に接合され、他方のシートの裏面が、折り返された前記一方のシートの縁部の上向きの前記裏面上に接合されていることを特徴とする汚れ防止用シート。
【請求項２】
前記他方のシートは、一方のシートの縁部の上向きの前記裏面上から前記一方のシートの表面上に延出し、延出した前記他方のシートの裏面が、前記一方のシートの表面に接合されている請求項１記載の汚れ防止用シート。
【請求項３】
前記複数のシートのうちの少なくとも１枚は、液吸収性または撥水性の表面層を有している請求項１または２記載の汚れ防止用シート。
【請求項４】
前記複数のシートには、表面層の強度または表面層の液吸収性あるいは表面層の撥水性が互いに相違するものが含まれている請求項１〜３のいずれかに記載の汚れ防止用シート。
【請求項５】
不織布で形成された表面層と、不織布で形成された裏面層との間に、不透液性層が挟まれた３層構造をもつ請求項１〜４のいずれかに記載の汚れ防止用シート。
【請求項６】
汚れ防止用シートが、手術時に使用される手術用シートである請求項１〜５のいずれかに記載の汚れ防止用シート。
【請求項７】
前記手術用シートが、手術台または器具を覆う、あるいは患者を覆う手術用カバーを構成している請求項６記載の汚れ防止用シート。
【請求項８】
前記手術用シートが手術着を構成している請求項６記載の汚れ防止用シート。
【発明の詳細な説明】
【０００１】
【発明の属する技術分野】
本発明は、複数のシートを接合して形成した汚れ防止用シートに関する。
【０００２】
更に詳しくは、手術時に床や作業台の上に敷いて、あるいは手術患者に被せて、または手術用器具の上に被せて使用され、もしくは手術着として用いられる手術用シートや、ベッド用シーツや、衣服などの汚れを防止するためのガウンやポンチョ等として使用される汚れ防止用シートに関する。
【０００３】
【従来の技術及びその課題】
従来、様々な汚れを防ぐためのシートが様々な箇所で多く使用されている。例えば、手術時において、患者の血液や薬液などが飛散して周辺の器具等が汚れるのを防ぐために、また使用された器具と接触することにより周辺が汚れるのを防ぐために、手術用シートが利用されている。この手術用シートは、手術台の下の床面に床敷として敷いて、または手術台の上にシーツとして敷いて、あるいは手術患者を覆うようにして術中の患者の汚染を防ぐドレープとして使用される。もしくは手術用シートは手術用の機械や器具を置く台の上に敷いてその台が汚れないように器械台カバーとして使用される。また医師や看護婦が着用する手術着も前記手術用シートと同種の素材で形成することが可能である。またこの種の手術用シートを使用後に破棄可能なものにすると、手術後の台などの清掃を簡略化できる。このような手術用シートとしては、例えば綿布、不織布、綿布や不織布に撥水加工やラミネート加工を施したものなどが存在する。
【０００４】
しかし従来の手術用シートは、一枚の綿布や不織布で形成されており、面積の広いものを形成しようとすると、広い設備が必要となってしまう。また比較的面積の小さいシートの縁部どうしを接合させて手術用シートを形成してもよいが、接合部を完全に密着させないと、シートどうしの間に隙間が生じてしまい、この接合部を血液や薬液が透過し、前記接合部からその下へ前記血液や薬液が浸透するおそれがある。
【０００５】
一方、こういった手術用シートにおいては、ある程度の強度や液吸収性や撥水性が要求される。例えば、台の上において使用される手術用シートの場合、機械や器具が置かれる部分においては使用時に破れたりすることがない強度が必要である。しかし前記機械や器具が置かれる部分以外においては強度はさほど必要とされず、飛散した血液や薬液などで台が汚れるのを防げるように液吸収性または撥水性があれば充分である。また手術用シートで手術着を形成する場合、汚れが飛散する確率が高い体の上半身前面を覆う部分において特に高い不透液性が要求され、体の下半身前面を覆う部分においては不透液性はさほど高くなくてもよい。体の後面を覆う部分においても同様である。
【０００６】
一枚で形成された手術用シートの全ての領域において強度や液吸収性や撥水性を高くしようとすると、不必要な部分にまで強度や液吸収性や撥水性が付与され、コストが高くなる。また手術用シートの全面にわたって厚みや堅さが増して使用しづらいものとなる。一方、互いに強度や液吸収性や撥水性が異なる複数枚のシートを組合せて使用してもよいが、前記したように設置に手間がかかり、またシートどうしの間に隙間が生じる。
【０００７】
本発明は上記従来の課題を解決するものであり、複数のシートを接合する際に、シートどうしの接合部から被覆面への血液や薬液等の汚れの浸透を防止できるようにした汚れ防止用シートを提供することを目的としている。
【０００８】
本発明の更なる目的は、部分的に強度や液吸収性や撥水性を異ならせた汚れ防止用シートを提供することである。
【０００９】
【課題を解決するための手段】
本発明は、複数のシートが、縁部どうしで接合されている汚れ防止用シートにおいて、
シートどうしの接合部では、一方のシートの縁部が、その裏面が上向きとなるように折り返されて前記一方のシートの表面に接合され、他方のシートの裏面が、折り返された前記一方のシートの縁部の上向きの前記裏面上に接合されていることを特徴とする汚れ防止用シートである。
【００１０】
本発明の汚れ防止用シートは、原反から面積の大きい一枚のシートを裁断する必要が無く、広い設備が必要ないので製造が容易である。またこのようにシートどうしの縁部を接合させて汚れ防止用シートを形成すると、一方のシート上を流れる血液や薬液が前記折り返し部で遮蔽され、シートどうしの接合部から床面へ前記血液や薬液が流出しにくくなる。またこのとき裏面が上向きとされて接合されているため、シートどうしが完全密着されていなくても、シートどうしの接合部から血液や薬液が被覆面へと漏れにくい。
【００１１】
前記他方のシートは、一方のシートの縁部の上向きの前記裏面上から前記一方のシートの表面上に延出し、延出した前記他方のシートの裏面が、前記一方のシートの表面に接合されていることが好ましい。
【００１２】
また、前記複数のシートのうちの少なくとも１枚は、液吸収性または撥水性の表面層を有していることができる。
【００１３】
また、前記複数のシートには、表面層の強度または表面層の液吸収性あるいは表面層の撥水性が互いに相違するものが含まれていてもよい。
【００１４】
例えば、汚れ防止用シートは不織布で形成された表面層と、不織布で形成された裏面層との間に、不透液性層が挟まれた３層構造をもつ。
【００１５】
汚れ防止用シートは、手術時に使用される手術用シートとして使用されることに適している。
【００１６】
前記手術用シートが、手術台または器具を覆う、あるいは患者を覆う手術用カバーを構成してもよい。
前記手術用シートが手術着を構成してもよい。
【００１７】
【発明の実施の形態】
以下、本発明の汚れ防止用シートとして手術用シートを図面を参照しながら説明する。図１は、本発明の手術用シートの平面図である。図２（Ａ）はシートの接合状態を説明する断面図、図２（Ｂ）は図１および図３のＩＩ−ＩＩ線による断面図、図３は接合されたシートどうしをさらに接合する状態を示す斜視図、図４は図１に示した手術用シートを台に設置した状態を示す斜視図である。
【００１８】
本発明の手術用シート１Ａは、図１に示すように、複数枚のシート１１、１２、１３、１４、１５、１６、１７、１８、１９が接合されて形成されている。この手術用シート１Ａは、一辺が１〜２ｍ程度の長方形である。この手術用シート１Ａは、図４に示すように台３０の機械または器具を置く面３０ａを被覆するようにして使用される手術用台カバーである。
【００１９】
手術用シート１Ａを構成するシートは、強度および液吸収性がそれぞれ異なる。まず、手術用シート１Ａの中央に位置するシート１１が、他のシートと比較して最も強度及び液吸収性が高くなっている。そして、シート１１の上下左右に連続するシート１２、１３、１４、１５が、シート１１より強度と液吸収性が低く、且つ残りのシート１６、１７、１８、１９より液吸収性が高くなっている。すなわち、中央部が最も強度及び液吸収性が高く、中央部から離れるにしたがって液吸収性が低くなっている。
【００２０】
使用時には、面３０ａにおいて器具及び機械が置かれたりして摩擦が生じても、手術用シート１Ａは破れることが無い強度を保ち、且つ器具や機械に付いた液体を確実に吸収する。そして、台の側面を覆うシート１３、１４、１５、１６では、器具や機械に接触して摩擦が生じることがないので、強度は低くてもよい。またシート１３、１４、１５、１６は液吸収性が低いが、少量の飛沫であれば充分捕獲し得るので、台３０などが汚れることを十分防止できる。また、シート１６、１７、１８、１９は図４に示すように殆どその面が露出しておらず、シートに皺が寄り重なった状態となっているので、シート１６、１７、１８、１９は液吸収性がかなり低くても何ら問題は生じない。
【００２１】
各シートは、図２（Ａ）（Ｂ）の断面図からわかるように、不透液性の中間層６の両面を表面層５と裏面層７とで挟んだ３層構造を持っている。各層は、ホットメルト接着剤などで互いに接合されている。
【００２２】
外側に向けられる表面層５は、親水性または親水化処理が施された繊維で形成された不織布であり、例えば、スパンレース不織布、サーマルボンド不織布、ポイントボンド不織布、スパンボンド不織布、エアースルー不織布である。不織布の好ましい具体的構成としては、目付が２０〜１００ｇ／ｍ2、更に好ましくは３５〜５５ｇ／ｍ2である。
【００２３】
台３０に向けられる裏面層７も、不織布や織布で形成することができる。不織布として、例えば、スパンレース不織布、サーマルボンド不織布、ポイントボンド不織布、スパンボンド不織布、エアースルー不織布である。不織布の好ましい具体的構成としては、目付が１５〜１００ｇ／ｍ2、更に好ましくは１５〜３０ｇ／ｍ2である。裏面層７を不織布や織布で形成すると、手術用シートで覆われる面に水蒸気等の水滴がついても、その液体を吸収できるために、手術用シートが台に対して滑りやすくなることを防止できる。
【００２４】
表面層５と裏面層７とで挟まれる中間層６は、不透液性の素材で構成されることが好ましい。中間層６が不透液性であれば、水分や汚れや細菌を裏面層７側まで通さず、患者が汚染されることがない。不透液性の素材としては、可撓性のあるフィルム、例えばポリオレフィン系のポリエチレン（ＰＥ）フィルムや共重合体フィルム、通気性フィルムなどがあげれられる。また、合成ゴム、天然ゴムのシートも使用できる。このなかでも厚み１５〜７０μｍ、更に好ましくは１８〜３０μｍ程度のポリエチレンシートが好ましい。
【００２５】
ただし、表面層５のみで、また表面層５と中間層６のみで本発明の手術用シートを形成しても良い。この場合、中間層６は台３０の面３０ａに対して滑りにくい素材で形成されることが好ましい。また、シートどうしが互いに異なる層構造をもち、例えば中央のシート１１のみを前記３層構造とし、その他のシートを１層または２層構造として良い。そのほか、前記３層構造にさらに他のシートを積層させた多層構造のシートを用いて手術用シートを形成してもよい。
【００２６】
なお、手術用シート１Ａにはある程度強度が必要とされ、手術用シートの強度が１０Ｎ／２５ｍｍ以上であることが好ましい。
【００２７】
各シートは、外側の（表面層５の上に位置する）液体が、台３０側に漏れないように接合される。図２（Ａ）（Ｂ）は、シート１１とシート１３との接合構造を示している。まず図２（Ａ）に示すように、隣合うシートどうしであるシート１１とシート１３との縁部１１ｅ、１３ｅがＺ方向における図示上側へ曲げられた状態で、縁部１１ｅと縁部１３ｅにおいて両シート１１と１３の裏面層７どうしが接合される。このとき、一方のシート１３の縁部１３ｅの曲げ寸法（端部の幅寸法）１３ｗを、他方のシート１１の縁部１１ｅの曲げ寸法１１ｗより短くなるようにして、シート１１とシート１３の裏面層７どうしが接着剤で接合される。
【００２８】
そして図２（Ｂ）に示すように、裏面どうしが接合された縁部１１ｅと縁部１３ｅとが、一方のシート１３の表面層５の上に倒され、折り返された縁部１３ｅの表面層５ｅがシート１３の表面層５と接着剤で接合される。他方のシート１１の縁部１１ｅは、一方のシート１３の縁部１３ｅから延出しているが、この延出している縁部１１ｅの裏面層７ｅが、折り返された前記縁部１３ｅを乗り越えて、シート１３の表面層５に接着剤で接合される。
【００２９】
すなわち、図２（Ｂ）に示すように、シート１１とシート１３との接合部では、一方のシート１３の縁部１３ｅが、その裏面が上向きになるように二つ折りされて折り返された部分でシート１３の表面層５，５ｅどうしが互いに接合される。さらに他方のシート１１の縁部１１ｅでの裏面層７ｅは、折り返されている前記縁部１３ｅの裏面層に接合されると共に前記縁部１３ｅを乗り越えて一方のシート１３の表面層５の上に延び、他方のシート１１の裏面層７ｅと、一方のシート１３の表面層５とが互いに接合された状態となる。
【００３０】
この接合構造では、シート１１の表面を流れる液体は、シート１１の延出部の表面に従って、シートどうしの接合部を乗り越えて、シート１３の表面層へ至るため、この液体もシートどうしの接合部から床面方向へ滲み出ることがない。
【００３１】
このとき、シート１１とシート１３とが完全に隙間なく接合されていなくても、シート１１の表面をシート１３へと流れる液体は裏側へと漏れにくい。例えば二つ折りされて折り返された部分でシート１３の表面層５，５ｅどうしが互いに接合される領域や、他方のシート１１の裏面層７ｅと一方のシート１３の表面層５とが接合される領域において、Ｙ方向に向かって間欠的に接合されていた場合、シート１１からシート１３へと流れる液体はシート１１の延出部の表面に従って、シートどうしの接合部を乗り越えて、シート１３の表面層へ至るため、裏側へと漏れにくい。またシート１３からシート１１へと液体が逆流した場合であっても、シートどうしの裏面が上向きとされた状態で接合されているため、折り返された部分で液体が堰きとめられ、折り返された部分を乗り越えない限り液体は裏側へと漏れない。
【００３２】
図３は、シート１１とシート１３とが接合された接合シート１１−１３と、シート１４とシート１８とが接合された接合シート１４−１８とを、さらに縁部どうしで接合する構造を示している。このときには、接合シート１１−１３の縁部１１−１３Ａと、接合シート１４−１８の縁部１４−１８Ａとが曲げられて裏面層どうしが（ｉ）で示すように接着接合される。さらに縁部１１−１３Ａと縁部１４−１８Ａとが接合された状態で、両縁部が（ｉｉ）方向と（ｉｉｉ）方向へ倒され、接合シート１４−１８上に接合される。
【００３３】
このとき縁部１１−１３Ａが、折り返された縁部１４−１８Ａよりも長く、縁部１１−１３Ａが接合シート１４−１８の表面層上に延出するようにし、延出した縁部１１−１３Ａが、接合シート１４−１８の表面層に接合される。よって接合シート１１−１３と接合シート１４−１８との接合部においても、断面形状は図２（Ｂ）と同等になる。
【００３４】
なお、図２（Ｂ）に示されるシート１３の縁部１３ｅの折り返し方向は、手術用シートの縁部へ向かう方向であり、シート１１は手術用シート１Ａの中心から離れる方向へ延びながら前記縁部１３ｅを乗り越えてシート１３の表面に延びている。同様に接合シート１４−１８の縁部１４−１８Ａの折り返し方向は、手術用シート１Ａの縁部へ向かう方向であり、接合シート１１−１３の縁部１１−１３Ａは、手術用シート１Ａの中心から離れる方向へ延びて前記縁部１４−１８Ａの上を乗り越えて、接合シート１４−１８の表面に接合されている。
【００３５】
したがって、手術用シート１Ａの中心から周囲へ向って流れる液体は、図２（Ｂ）の図示左方向へ向うことになり、縁部１１ｅや縁部１１−１３Ａの延出方向に沿って、接合部を乗り越えて流出できるようになる。縁部１１ｅおよび縁部１１−１３Ａの延出方向を液体の主な流れ方向に一致させているため、シートどうしの接合部から裏面側へ液体が流出しにくくなる。
【００３６】
この手術用シート１Ａにおいては、強度と液吸収性が高い順にシート１１＞シート１２、１３、１４、１５＞シート１６、１７、１８、１９となっているが、中央のシート１１以外は強度及び液吸収性がすべて等しいものであってもよい。その場合、シート１６、１５、１９、またはシート１７、１３、１８は一枚の連続するシートで形成されていてもよい。また、各シートにおいて強度のみを異ならせ、液吸収性は全てのシートにおいてほぼ同等であってもよい。ただし、手術用シートを形成する全てのシートが同じシートで形成されていてもよい。
【００３７】
図５は本発明の手術用シートで手術着を構成した実施例を示す正面図、図６は図５に示す手術着の後面図である。図５に示す手術着は、体の前面を覆う前身頃４０に、腕を通すための袖部４３、４３と、体の後面を覆う後身頃４１、４１とから構成されている。さらに後身頃４１、４１には、手術用シートで形成された手術着１Ｂを体に保持するための紐４２、４２が取り付けられている。手術着１Ｂの着用時には、紐４２、４２が着用者の背中で結ばれる。
【００３８】
手術着１Ｂの前身頃４０は、シート１１とシート１３とが接合されて形成されている。このシート１１とシート１３は前記手術用シート１Ａと同じものを使用できる。よって、シート１１はシート１３より液吸収性が高い。手術着の着用時にはシート１１が上半身前面を覆い、シート１３が下半身前面を覆う。通常、患者は手術者が扱い易いようにある程度の高さに位置され、例えば手術者の腰上あたりに位置される。したがって、手術者の上半身においては薬液や血液の跳ねが多いが、液吸収性の高いシート１１によって十分対応することができ、一方薬液や血液の跳ねが比較的少ない下半身はさほど液吸収性の高くないシート１３で充分対応できる。
【００３９】
このとき、シート１１とシート１３とは、互いに図２（Ａ）（Ｂ）に示すように接合されている。したがって、シート１１へと跳ねた液体がシート１１の表面を伝ってシート１３へと流れたとき、液体はシート１１の縁部１１ｅの延出方向に沿って、接合部を乗り越えて流出できるようになる。縁部１１ｅの延出方向を液体の主な流れ方向に一致させているため、シートどうしの接合部から裏面側へ液体が流出しない。
【００４０】
後身頃４１、４１は、前身頃４０を形成するシート１１、１３よりも液吸収性が低いシートで形成できる。また前身頃４０と後身頃４１、４１との接合部においても、図２（Ａ）（Ｂ）に示すようにして接合されることが好ましい。この場合、前身頃４０が図２（Ａ）（Ｂ）に示すシート１１、後身頃４１が図２（Ａ）（Ｂ）に示すシート１３となるように接合する。すると、前身頃４０へと跳ねた液体が前身頃４０と後身頃４１との接合部で手術着１Ｂの裏側へと漏れることがない。
【００４１】
袖部４３、４３は、前身頃４０を形成するシート１１、１３と同等またはそれ以上の液吸収性及び強度をもつシートで形成されることが好ましい。薬液や血液などの液体が多く飛散する場所であり、また手の動きによる摩擦が多く生じる場所だからである。このとき、袖部４３を複数枚のシートで形成し、袖口４３ａに近い箇所をさらに液吸収性及び強度が高いシートで形成することもできる。なお、袖部４３、４３と前身頃４０または後身頃４１との接合も、図２（Ａ）（Ｂ）に示すようにして施されることが好ましい。
【００４２】
また本発明では、手術着１Ｂにおいて、さほど液吸収性が必要とされない前身頃の下半身を覆うシート１３を撥水性の高いシートで形成してもよい。撥水性の高いシートは、疎水性繊維もしくは疎水性処理が施された親水性繊維で形成された不織布、樹脂コーティングされた不織布などで形成できる。なお、不織布としては、前記表面層５で述べた不織布を使用することができる。
【００４３】
このように、本発明の手術用シートは、手術台カバーや手術着に適用することができるが、その他、手術スタンド用シート、手術部位を除いて患者を覆う手術用カバー、手術台の下に敷かれるシート等、手術時に使用される様々なシートとして利用できる。よって、本発明の手術用シートは四角形状に限らず、円形や多角形などであってもよく、使用用途に応じて強度、液吸収性及び／または液吸収性を部分的に適宜異ならせることができる。
【００４４】
なお、本発明の手術用シートは人間に用いるだけではなく、動物を対象として用いても良い。
【００４５】
さらに、複数のシートを接合した本発明の汚れ防止用シートは、上記した手術用シートとして使用できる他、おねしょ用シーツ、介護用シーツ、病院用シーツなどのシーツとしても使用できる。この場合、腰部が当てられる箇所において液吸収性または撥水性が高いシートを位置させることが好ましい。また、美容院などにおいて、衣服が汚れることを防止するのに利用されているガウンやポンチョなどとしても使用できる。この場合、着用者の前面を覆う部分において液吸収性または撥水性が高いことが好ましい。その他、本発明の汚れ防止用シートは水分を含んだ汚れが内側へと侵入しないために使用されるカバーや衣服として、種々の場面で使用できる。
【００４６】
【発明の効果】
以上詳述したように、各シートの接合をシートの裏面どうしが対面するようにして接合すると、シートどうしの接合部から裏面側への血液等の浸出を有効に防止できる。
【００４７】
本発明の手術用シートを、液吸収性または撥水性が異なる複数枚のシートから形成すると、機能が互いに異なる種々のシートを必要に応じて組合せることが可能であり、また簡単に且つ低コストで得ることができる。この手術用シートでは、不必要な箇所にまで様々な機能を付与する必要がなくなるため、全体としての使用しやすさを低下させることがない。
【図面の簡単な説明】
【図１】本発明の手術用シートの平面図
【図２】（Ａ）はシートの接合状態を説明する断面図、（Ｂ）は図１及び図３のＩＩ−ＩＩ線による断面図
【図３】接合されたシートどうしの接合状態を示す斜視図
【図４】図１に示した手術用シートを台に設置した状態を示す斜視図
【図５】本発明の手術用シートで手術着を構成した実施例を示す正面図
【図６】図５に示す手術着の後面図
【符号の説明】
１Ａ  手術用シート
１Ｂ  手術着
１ｓ  表面
５  表面層
６  中間層
７  裏面層
１１、１２、１３、１４、１５、１６、１７、１８、１９  シート
１１ｅ、１３ｅ  端部
１３ｗ、１１ｗ  寸法
３０  台
３０ａ  台の面
４０  前身頃
４１  後身頃
４２  紐
４３  袖部
４３ａ  袖口
【図１】
0003662161.tif 000002
【図２】
0003662161.tif 000003
【図３】
0003662161.tif 000004
【図４】
0003662161.tif 000005
【図５】
0003662161.tif 000006
【図６】
0003662161.tif 000007